(57)【要約】      （修正有）【課題】スタンドを脱着せずに作業に支障が無いように収納が可能で、容易に取り扱いができる簡易構造の肥料散布機のスタンド装置を提供する。【解決手段】左右一対設けられたキャスター車輪付きスタンド装置６である。スタンド装置６はスタンド回動軸を中心に上下に回動して、スタンド装置使用状態である下方にキャスター車輪６１が向いた状態と、スタンド装置非使用状態であるキャスター車輪６１が水平方向に向いた状態とにそれぞれ切り替え可能で、スタンド装置非使用状態位置のときは、機体中央側にそれぞれキャスター車輪６１側が回動してフレーム１底面部にスタンドフレーム６０が位置し、平面視ホッパ２の左右及び後方端より内側にスタンドフレーム６０が位置する。【選択図】図３
0003187118.tif 000002
【実用新案登録請求の範囲】
【請求項１】
走行装置であるトラクタに装着するための装着部を有するフレームと、該フレームに保持され肥料を貯留するホッパと、該ホッパ底開口部から落下させた肥料を散布する肥料散布部と、前記ホッパと肥料散布部との間に設けたホッパ底開口部の開口量を調整するシャッタ部を有する肥料散布機において、
該肥料散布機には、スタンド装置が設けられていて、該スタンド装置は左右一対設けられたキャスター車輪付きスタンド装置であり、
進行方向と平行且つ水平のスタンド回動軸を中心に上下に回動して、スタンド装置使用状態である下方にキャスター車輪が向いた状態と、スタンド装置非使用状態であるキャスター車輪が水平方向に向いた状態とにそれぞれ切り替え可能で、スタンド装置非使用状態位置のときは、機体中央側にそれぞれキャスター車輪側が回動してフレーム底面部にスタンドフレームが位置し、平面視ホッパの左右及び後方端より内側にスタンドフレームが位置することを特徴とした肥料散布装置。
【考案の詳細な説明】
【技術分野】
【０００１】
本考案は、化成肥料、有機肥料等の被散布物を貯留するホッパを備え、このホッパから落下した被散布物を散布する肥料散布機（ブロードキャスタ）に関するもので、特に、非作業時に使用するスタンド装置に関する。
【背景技術】
【０００２】
従来、非作業時に使用するスタンド装置を設けた肥料散布機や耕耘作業機が公知となっている。従来例として、特開２００８−７９５０８号公報の「作業機の連結装置」や特開２０１２−９５６２４号公報の「ロータリ耕耘装置のスタンド」が開示されている。
【先行技術文献】
【特許文献】
【０００３】
【特許文献１】特開２００８−７９５０８号公報
【特許文献２】特開２０１２−９５６２４号公報
【考案の概要】
【考案が解決しようとする課題】
【０００４】
従来の肥料散布機のスタンドは、トラクタの後部に肥料散布機を係脱する際に、肥料散布機を所定の姿勢に保持するため、又は、肥料散布機がトラクタから外されて格納する時の移動等に使用されているが、トラクタに装着された散布作業時等スタンドを使用しない場合には取り外して使用されている。スタンドは、大型の肥料散布機になるほど重量が重くなり、脱着する場合容易に行えない問題がある。また、脱着場所が変更されると重いスタンドを移動させなければならない煩わしさがある。しかし、スタンドを肥料散布機に装着したままで作業を行うと、スタンドが移動時や作業時に周囲に不用意に接触等を起こし効率的な作業ができないという問題があった。
【０００５】
本考案は、上記の点を鑑みてなされたものであり、スタンドを脱着せずに作業に支障が無いように収納が可能で、容易に取り扱いができる簡易構造のスタンド装置を有した肥料散布機を提供することを目的とする。
【課題を解決するための手段】
【０００６】
上記課題を解決するために、本考案の肥料散布機のスタンド装置は、走行装置であるトラクタに装着するための装着部を有するフレームと、該フレームに保持され肥料を貯留するホッパと、該ホッパ底開口部から落下させた肥料を散布する肥料散布部と、前記ホッパと肥料散布部との間に設けたホッパ底開口部の開口量を調整するシャッタ部を有する肥料散布機において、該肥料散布機には、スタンド装置が設けられていて、該スタンド装置は左右一対設けられたキャスター車輪付きスタンド装置であり、進行方向と平行且つ水平のスタンド回動軸を中心に上下に回動して、スタンド装置使用状態である下方にキャスター車輪が向いた状態と、スタンド装置非使用状態であるキャスター車輪が水平方向に向いた状態とにそれぞれ切り替え可能で、スタンド装置非使用状態位置のときは、機体中央側にそれぞれキャスター車輪側が回動してフレーム底面部にスタンドフレームが位置し、平面視ホッパの左右及び後方端より内側にスタンドフレームが位置することを特徴とした肥料散布装置を提供する。
【考案の効果】
【０００７】
本考案によれば、肥料散布機からスタンド装置を脱着せずに、スタンド回動軸を中心に上下に回動して、スタンド装置使用状態である下方にキャスター車輪が向いた状態と、スタンド装置非使用状態であるキャスター車輪が水平方向に向いた状態とにそれぞれ切り替え可能であるため、容易にスタンド装置の切替作業ができる。また、スタンド装置非使用状態では、スタンドフレームはキャスター車輪側が機体中央側に回動して水平方向に向いた状態でフレーム底面部に位置していて、さらに、平面視ホッパの左右及び後方より内側に位置していることにより、作業時に不用意に周囲に接触や衝突等を起こすこともなく、底面部に位置していることにより散布肥料が直接キャスター車輪等に飛散しにくいため、腐食等に対し有利である。
【図面の簡単な説明】
【０００８】
【図１】本考案の肥料散布機のスタンド装置が使用位置の正面図である。
【図２】本考案の肥料散布機のスタンド装置が非使用位置の正面図である。
【図３】本考案の肥料散布機のスタンド装置が使用位置の側面図である。
【図４】本考案の肥料散布機のスタンド装置が非使用位置の側面図である。
【図５】本考案の肥料散布機のスタンド装置が非使用位置の底面図である。
【図６】スタンド装置が使用位置の要部正面図である。
【図７】スタンド装置が非使用位置の要部正面図である。
【考案を実施するための形態】
【０００９】
実施の一形態を、図１乃至図７に基づいて説明する。肥料散布機９は、肥料を投入するホッパ２と肥料を拡散散布する肥料散布部５とホッパ底開口部の肥料落下の開口量を調整するシャッタ部４とを備え、フレーム１により保持され構成されている。フレーム１下方には、非作業時にトラクタから外された時に使用するスタンド装置６が設けられている。
【００１０】
ホッパ２は、下方が窄まった漏斗形状をなし、その上面は開口している。ホッパ２内には、被散布物としての肥料が貯留される。ホッパ２の底部には、ホッパ底板と、これに設けた肥料の排出口が備えられ、肥料の落下量を調整するシャッタ部４が設けられている。シャッタ部４の肥料の排出は、排出口を開閉するための孔を有するシャッタ板４３をホッパ底板に対しスライド自在に設け、ホッパ底板の排出口とシャッタ板４３の孔の重合部位で形成される開口穴の開度量により肥料の落下量の調整を行う。開閉量の調整はシャッタ部４後方の開度調整レバー４２で設定し、シャッタ板４３の開閉は前方部に配置したシリンダー４０を伸縮させて作動させる。シリンダー４０は、装着するトラクタ側にホース先端部のカプラ４１を連結させ、トラクタ側の作業者が遠隔操作できる。
【００１１】
ホッパ底の排出口から落下した肥料は、下方に位置する肥料散布部５により水平方向に拡散散布される。肥料散布部５は、平面視放射状に立設させた散布羽根５１を有する水平方向に回転する円盤状の散布板５０を高速回転させ、これに落下した肥料を水平方向に拡散散布させる。本例においては、ホッパ底の排出口を２箇所設け、散布板５０も２箇所設けて、散布作業時は同時に回転して散布を行う。
【００１２】
ホッパ２内の排出口部には、肥料の滞留などを防止するアジテータ（図示せず）が備えられていて、回転して肥料の滞留防止を行う。
【００１３】
ホッパ２及び肥料散布部５は、フレーム１により保持されていて、フレーム１前方部には、トラクタ等の走行機に装着する装着部１２が設けられている。装着部１２は、フレーム１前方の中央上方部に設けたトップリンク取付孔１０部と、その下方左右に一対設けたロアリンク取付孔１１部を備えている。トラクタ側の装着装置である３点リンク機構(図示せず)のトップリンク先端部をトップリンク取付孔１０に連結用ピンにより連結し、左右ロアリンク先端部を左右のロアリンク取付孔１１にそれぞれ連結用ピンで連結すると、トラクタに装着される。
【００１４】
また、フレーム１前方部の左右ロアリンク取付孔１１部の中間近傍には、前方に向けて突出されて設けた入力軸３が設けられていて、トラクタのＰＴＯ軸とユニバーサルジョイント等で連結されて回転動力が入力され、肥料散布部５が回転駆動される。
【００１５】
フレーム１下方部には、トラクタから外された時に肥料散布機９を装着姿勢で保持するスタンド装置６が設けられている。スタンド装置６には、キャスター車輪６１が設けられていて、肥料散布機９を格納などで移動させるときに使用する。
【００１６】
フレーム１下方の左右部には、スタンド装置６を取り付けるためのスタンドブラケット６４が左右一対取り付けられている。スタンドブラケット６４には前後方向の水平に設けたスタンド回動軸６２の挿入孔が設けられていて、スタンド装置６の取り付け孔を重合させ、スタンド回動軸６２を挿入してスタンド装置６が左右にそれぞれ取り付けられる。
【００１７】
スタンド装置６は、スタンドフレーム６０とキャスター車輪６１で構成され、スタンドフレーム６０の水平の角パイプの両端部にキャスター車輪６１が取り付けられ、キャスター車輪６１の角パイプ裏面側には、取り付け部である二本のアームが垂設され、アーム端部に前記スタンド回動軸６２を挿入する孔と回動を固定する孔が貫通して設けられている。
【００１８】
スタンド装置６は、フレーム１に取り付けられたスタンドブラケット６４に前後方向且つ水平のスタンド回動軸６２によって左右方向回動自在に取り付けられている。図６は、スタンド装置６が使用位置である下方を向いた状態の要部正面図で、図７は、スタンド装置６が非使用位置である水平方向を向いた状態の要部正面図である。スタンドブラケット６４の後方側の取り付け部には、スタンド回動軸６２の挿入孔の垂直下方と水平方向の同じ距離にスタンド回動軸６２と平行に固定孔６５が貫通して設けられていて、固定孔６５は、スタンド装置６の固定孔と重合させ、固定ピン６３を挿入させると、スタンド装置６を使用位置又は非使用位置に固定される。左右それぞれのスタンド装置６は、肥料散布機９の内側に回動させて水平に固定すると非使用位置となる。内側に回動させた非使用位置では、スタンドフレーム６０が肥料散布機９の底面にコンパクトに収納され、外側への突出が最小となり、散布作業時の周囲とスタンド装置６の接触や衝突等を回避できる。また、スタンド装置６後方側のキャスター車輪６１部を平面視ホッパ２のホッパ後端部２０より内側に設けることで、突出部が少なくなり、より衝突等の回避が可能となる。
【００１９】
本考案の肥料散布機で散布作業を行うには、スタンド装置６で保持された肥料散布機９を装着するトラクタの後方に位置させ、トラクタの３点リンク装着機構に装着する。装着は、３点リンク機構の左右のロアリンクの後端部を肥料散布機９のフレーム１前方部のロアリンク取付孔１１に取付ピンで上下回動自在に連結するとともに、同じく３点リンク機構のトップリンクをトップリンク取付孔１０に取付ピンで上下回動自在に連結する。また、トラクタＰＴＯ軸とフレーム１前方部に突出して設けた入力軸３をユニバーサルジョイントで連結して回転動力を入力可能とする。さらに、シャッタ部４のシャッタ板４３作動用のシリンダー４０のカプラ４１をトラクタ側の油圧装置に連結する。
【００２０】
トラクタを操作して３点リンク機構を上昇させスタンド装置６を地面から浮かせ、スタンドの固定ピン６３を抜いて、左右のスタンド装置６を肥料散布機９の内側にそれぞれ回動させ水平位置で固定ピン６３をスタンド装置非使用位置の固定孔６５に差込固定する。
【００２１】
ホッパ２の上部の開口部から肥料を投入して、シャッタ部４の後方の開度調整レバー４２によりシャッタ開度を設定する。散布場所に移動してトラクタＰＴＯ軸を回転させて散布板５０を回転させ、走行と同時にトラクタの油圧操作レバーを操作してシャッタ板４３をシリンダー４０によりスライドさせ落下孔を解放する。落下した肥料は回転する散布板５０により水平方向に拡散散布される。
【００２２】
作業終了後は、スタンド装置６の固定ピン６３をスタンド装置使用位置の固定孔６５に差し替えてスタンドフレーム６０が垂下した状態に固定してトラクタ３点リンク機構を下降させ着地させる。その後、３点リンク機構及びユニバーサルジョイント、油圧カプラ４１を外すとトラクタから非装着状態となる。
【産業上の利用可能性】
【００２３】
本考案は、肥料等の被散布物を貯留するホッパを備え、ホッパから落下した被散布物を拡散散布可能な肥料散布機のスタンド装置に適用できる。
【符号の説明】
【００２４】
１    フレーム
１０  トップリンク取付孔
１１  ロアリンク取付孔
１２  装着部
２    ホッパ
２０  ホッパ後端部
３    入力軸
４    シャッタ部
４０  シリンダー
４１  カプラ
４２  開度調整レバー
４３  シャッタ板
５    肥料散布部
５０  散布板
５１  散布羽根
６    スタンド装置
６０  スタンドフレーム
６１  キャスター車輪
６２  スタンド回動軸
６３  固定ピン
６４  スタンドブラケット
６５  固定孔
９    肥料散布機
【図１】
0003187118.tif 000003
【図２】
0003187118.tif 000004
【図３】
0003187118.tif 000005
【図４】
0003187118.tif 000006
【図５】
0003187118.tif 000007
【図６】
0003187118.tif 000008
【図７】
0003187118.tif 000009